(57)【要約】【課題】  帯状体を浮上させた状態で連続して搬送させる場合に、帯状体が搬送される途中において位置がずれたりして蛇行するのを、自動的に簡単に防止できるようにする。【解決手段】  帯状体Wを浮かせた状態で連続して搬送させるにあたり、搬送される帯状体と相対するパッド面11における帯状体の搬送方向前後の位置に、それぞれ帯状体の幅方向に沿ったスリット状の直線状ノズル12,12を設け、この一対の直線状ノズルから搬送される帯状体に向けて気体を吹き付けると共に、パッド面における帯状体の幅方向中央部に搬送される帯状体を浮かせるように気体を吹き付ける中央部ノズル14aを設け、さらに前記のパッド面における帯状体の幅方向の両側部にそれぞれ気体を帯状体の幅方向中央側に向けて吹き付ける補正用ノズル14bを設けた。【選択図】  図３
2020093903.tif 000002
【特許請求の範囲】
【請求項１】
帯状体を接触しないように浮かせた状態で連続して搬送させる帯状体の浮上搬送装置において、搬送される帯状体と相対するパッド面における帯状体の搬送方向前後の位置に、それぞれ帯状体の幅方向に沿ったスリット状の直線状ノズルを設け、この一対の直線状ノズルから搬送される帯状体に向けて気体を吹き付けると共に、前記のパッド面における帯状体の幅方向中央部に、搬送される帯状体を浮かせるように気体を吹き付ける中央部ノズルを設け、さらに前記のパッド面における帯状体の幅方向の両側部にそれぞれ気体を帯状体の幅方向中央側に向けて吹き付ける補正用ノズルを設けたことを特徴とする帯状体の浮上搬送装置。
【請求項２】
請求項１に記載の帯状体の浮上搬送装置において、前記のパッド面における帯状体の幅方向の両側部に、それぞれパッド面の中央部から側方に向かい搬送される帯状体に向けて傾斜した傾斜部を設け、この傾斜部にそれぞれ気体を帯状体の幅方向中央側に向けて吹き付ける補正用ノズルを設けたことを特徴とする帯状体の浮上搬送装置。
【請求項３】
請求項１又は請求項２に記載の帯状体の浮上搬送装置において、前記の補正用ノズルから帯状体の幅方向中央側に向けて吹き付ける気体の量を、前記の中央部ノズルから帯状体に向けて吹き付ける気体の量よりも多くしたことを特徴とする帯状体の浮上搬送装置。
【請求項４】
請求項３に記載の帯状体の浮上搬送装置において、前記の補正用ノズルから帯状体の幅方向中央側に向けて吹き付ける気体の量を、前記の中央部ノズルから帯状体の中央部に向けて吹き付ける気体の量よりも多くするにあたり、補正用ノズルのノズル径を中央部ノズルのノズル径よりも大きくしたことを特徴とする帯状体の浮上搬送装置。
【請求項５】
請求項１〜請求項４の何れか１項に記載の帯状体の浮上搬送装置を、連続して搬送させる帯状体の上側と下側の両側の位置に設けたことを特徴とする帯状体の浮上搬送装置。
【請求項６】
請求項５に記載の帯状体の浮上搬送装置において、連続して搬送させる帯状体の下側に設ける下側の浮上搬送装置の位置と、上側に設ける上側の浮上搬送装置の位置とをずらせて設けたことを特徴とする帯状体の浮上搬送装置。
【発明の詳細な説明】
【技術分野】
【０００１】
本発明は、金属ストリップ等の帯状体を浮上させた状態で連続して搬送させる帯状体の浮上搬送装置に関するものである。特に、帯状体を浮上させた状態で連続して搬送させるにあたり、帯状体が搬送される途中において、帯状体の位置がずれたりして蛇行するのを、自動的に簡単に防止できるようにした点に特徴を有するものである。
【背景技術】
【０００２】
従来から、金属ストリップ等の帯状体を連続して搬送させるにあたり、特許文献１〜４に示されるように、金属ストリップ等の帯状体を浮上させた状態で連続して搬送させるようにした帯状体の浮上搬送装置が提案されている。
【０００３】
そして、近年においては、金属ストリップ等の帯状体を効率よく搬送させて処理速度を高めるため、金属ストリップ等の帯状体の搬送速度を速くした場合においても、帯状体が蛇行したりすることなく、所定の位置において安定して搬送させることが要望されるようになった。
【０００４】
ここで、特許文献１においては、搬送される帯状体と相対するパッド面における帯状体の搬送方向前後の位置に、それぞれ帯状体の幅方向に沿ったスリット状の直線状ノズルを設け、この一対の直線状ノズルからその中央部に向けて斜め上方に気体を吹き付けて、搬送される帯状体を浮き上がらせるようにすると共に、パッド面における帯状体の幅方向中央部を水平な面にする一方、その両側部を帯状体の搬送方向に沿って隆起する凸面状に形成し、この両側部における気体吹出し口の開口率を両端縁に近づくに従って徐々に大きくしたものが示されている。
【０００５】
そして、この特許文献１においては、搬送される帯状体の幅方向中央部が、パッド面の両側部における気体吹出し口から吹き出される気体により規制されて滞留し、帯状体の幅方向中央部の静圧力を高めて、帯状体を効率的に浮揚できるようにすると共に、搬送される帯状体の幅方向にずれるのが、開口率を両端縁に近づくに従って徐々に大きくした気体吹出し口から吹き出される気体により補正されて安定した走行状態が得られることを示している。
【０００６】
しかし、特許文献１に示されるものにおいては、同公報の図４に示されるように、各気体吹出し口からその上方における帯状体に向けて上方に吹き付けているだけであるため、帯状体がその幅方向にずれた場合に、そのずれを速やかに補正することは困難であった。
【０００７】
また、特許文献２においては、搬送される帯状体と相対するパッド面における帯状体の搬送方向前後の位置に、それぞれ帯状体の幅方向に沿ったスリット状の直線状ノズルを設け、この一対の直線状ノズルから搬送される帯状体に向けて気体を吹き付けて、搬送される帯状体を浮き上がらせるようにすると共に、前記の一対の直線状ノズルの間におけるパッド面に中央に仕切り板を有する風量調整用スリットを設け、搬送される帯状体の搬送状態を圧力検出器や圧力演算器によって検出し、この検出結果に基づいて、弁制御装置により搬送される帯状体の両側の支持圧力差が少なくなるように、前記の風量調整用スリットから搬送される帯状体に向けて吹き付ける気体の状態を制御して、搬送される帯状体の両側の支持圧力差が少なくなるようにして、搬送される帯状体がその幅方向にずれたりするのを抑制するようにしたものが提案されている。
【０００８】
しかし、特許文献２に示されるものにおいて、前記のように搬送される帯状体がその幅方向にずれたりするのを抑制するため、搬送される帯状体の搬送状態を圧力検出器や圧力演算器によって検出し、この検出結果に基づいて、弁制御装置により搬送される帯状体の両側の支持圧力差が少なくなるように、前記の風量調整用スリットから搬送される帯状体に向けて吹き付ける気体の状態を制御する操作は非常に面倒であると共に、このような制御を行うための設備コストも高くつくという問題があった。
【０００９】
また、特許文献３においては、搬送される帯状体と相対するパッド面における帯状体の搬送方向前後の位置に、それぞれ帯状体の幅方向に沿ったスリット状の直線状ノズルを設け、この一対の直線状ノズルから搬送される帯状体に向けて気体を吹き付けて、搬送される帯状体を浮き上がらせるようにすると共に、前記のパッド面の両側に、帯状体の搬送方向に沿って浮上された帯状体と略同じ高さのサイドプレートを設け、搬送される帯状体がその幅方向に傾斜した場合に、サイドプレート間の気体の圧力差により、帯状体の傾斜を補正して蛇行するのを抑制することが提案されている。
【００１０】
しかし、特許文献３においては、帯状体の傾斜を補正して蛇行するを抑制する際に、搬送される帯状体がパッド面の両側に設けたサイドプレートに接触して傷付いたりするという問題があった。
【先行技術文献】
【特許文献】
【００１１】
【特許文献１】特開平７−２９１４９９号公報
【特許文献２】特開平６−７３４６１号公報
【特許文献３】特開２０１７−６６４８１号公報
【発明の開示】
【発明が解決しようとする課題】
【００１２】
本発明は、金属ストリップ等の帯状体を浮上させた状態で連続して搬送させる帯状体の浮上搬送装置における前記のような問題を解決することを課題とするものである。
【００１３】
すなわち、前記のような帯状体の浮上搬送装置において、帯状体を浮上させた状態で連続して搬送させるにあたり、帯状体が搬送される途中において帯状体の位置がずれたりして蛇行するのを、自動的に簡単に防止できるようにすることを課題とするものである。
【課題を解決するための手段】
【００１４】
本発明における帯状体の浮上搬送装置においては、前記のような課題を解決するため、帯状体をパッド面に接触しないように浮かせた状態で連続して搬送させる帯状体の浮上搬送装置において、搬送される帯状体と相対するパッド面における帯状体の搬送方向前後の位置に、それぞれ帯状体の幅方向に沿ったスリット状の直線状ノズルを設け、この一対の直線状ノズルから搬送される帯状体に向けて気体を吹き付けると共に、前記のパッド面における帯状体の幅方向中央部に搬送される帯状体を浮かせるように気体を吹き付ける中央部ノズルを設け、さらに前記のパッド面における帯状体の幅方向の両側部にそれぞれ気体を帯状体の幅方向中央側に向けて吹き付ける補正用ノズルを設けた。
【００１５】
そして、この帯状体の浮上搬送装置においては、搬送される帯状体と相対するパッド面における帯状体の搬送方向前後の位置に、それぞれ帯状体の幅方向に沿ったスリット状の直線状ノズルを設け、この一対の直線状ノズルから搬送される帯状体に向けて気体を吹き付けると共に、パッド面における帯状体の幅方向中央部に設けた中央部ノズルから搬送される帯状体に気体を吹き付けて、帯状体を浮上搬送装置から浮かせた状態で搬送させるにあたり、パッド面における帯状体の幅方向の両側部に設けた補正用ノズルからそれぞれ気体を帯状体の幅方向中央側に向けて吹き付けるようにする。
【００１６】
このようにすると、前記のようにパッド面から浮いた状態で搬送される帯状体の位置が帯状体の幅方向片側にずれた場合、ずれて近づいた側における補正用ノズルから帯状体に向けて吹き付けられる気体の力が、ずれて離れた側における補正用ノズルから帯状体に向けて吹き付けられる気体の力より強くなり、幅方向片側にずれた帯状体がずれた方と反対側に押されて、帯状体が正常な位置に戻されるようになる。
【００１７】
ここで、前記の帯状体の浮上搬送装置においては、前記のパッド面における帯状体の幅方向の両側部に、それぞれパッド面の中央部から側方に向かい搬送される帯状体に向けて傾斜した傾斜部を設け、この両側の傾斜部にそれぞれ気体を帯状体の幅方向中央側に向けて吹き付ける補正用ノズルを設けるようにすることができる。
【００１８】
また、前記の帯状体の浮上搬送装置においては、前記の補正用ノズルから帯状体の幅方向中央側に向けて吹き付ける気体の量を、中央部ノズルから帯状体に向けて吹き付ける気体の量よりも多くすることが好ましい。このようにすると、前記のように帯状体をパッド面に接触しないように浮かせた状態で搬送させるにあたり、搬送される帯状体が帯状体の幅方向片側にずれた場合に、ずれて近づいた側における補正用ノズルから帯状体に向けて吹き付けられる気体の力が、ずれて離れた側における補正用ノズルから帯状体に向けて吹き付けられる気体の力より強くなり、幅方向片側にずれた帯状体が強くずれた方と反対側に押されて、帯状体が正常な位置に速やかに戻されるようになる。
【００１９】
また、前記の帯状体の浮上搬送装置において、補正用ノズルから帯状体の中央部に向けて吹き付ける気体の量を、中央部ノズルから帯状体の中央部に向けて吹き付ける気体の量よりも多くするにあたっては、補正用ノズルのノズル径を中央部ノズルのノズル径よりも大きくし、補正用ノズルから吹き出される気体の量を中央部ノズルから吹き出される気体の量より多くすることができる。
【００２０】
また、本発明においては、前記のような帯状体の浮上搬送装置を、連続して搬送させる帯状体の上側と下側の両側の位置に設けることができ、この場合、上側に設けた浮上搬送装置と下側に設けた浮上搬送装置とにおける各ノズルから吹き出された気体が複雑に混ざり合って、気体の流れを制御できなくなるのを抑制するため、連続して搬送させる帯状体の下側に設ける浮上搬送装置の位置と、上側に設ける浮上搬送装置の位置とをずらせることが好ましい。なお、帯状体の浮上搬送装置を連続して搬送させる帯状体の上側と下側の両側の位置に設けるにあたり、前記のようにパッド面における帯状体の幅方向の両側部に、それぞれパッド面の中央部から側方に向かい搬送される帯状体に向けて傾斜した傾斜部を設ける場合、搬送させる帯状体の下側に設ける帯状体の浮上搬送装置においては、前記の傾斜部を、パッド面の中央部から側方に向かい搬送される帯状体に向けて上方に傾斜させる一方、搬送させる帯状体の上側に設ける帯状体の浮上搬送装置においては、前記の傾斜部を、パッド面の中央部から側方に向かい搬送される帯状体に向けて下方に傾斜させるようにする。
【発明の効果】
【００２１】
本発明における帯状体の浮上搬送装置においては、浮上されて搬送される帯状体と相対するパッド面における帯状体の搬送方向前後の位置に、それぞれ帯状体の幅方向に沿って設けた一対の直線状ノズルから搬送される帯状体に向けて気体を吹き付けると共に、パッド面における帯状体の幅方向中央部に設けた中央部ノズルから搬送される帯状体に気体を吹き付けて、帯状体を浮上させて搬送させるにあたり、パッド面における帯状体の幅方向の両側部に設けた補正用ノズルからそれぞれ気体を帯状体の中央部に向けて吹き付けるようにした。
【００２２】
この結果、本発明における帯状体の浮上搬送装置においては、浮上搬送装置により浮上されて搬送される帯状体の状態が変化して、パッド面の上を搬送される帯状体の位置が帯状体の幅方向の何れか片側にずれた場合、ずれて近づいた側における補正用ノズルから帯状体に向けて吹き付けられる気体の力が、ずれて離れた側における補正用ノズルから帯状体に向けて吹き付けられる気体の力より強くなり、幅方向片側にずれた帯状体がずれた方と反対側に押されて、帯状体が正常な位置に戻され、帯状体を浮上させた状態で連続して搬送させるにあたり、帯状体が搬送される途中において帯状体の位置がずれたりして蛇行するのを、自動的に簡単に防止できるようになった。
【図面の簡単な説明】
【００２３】
【図１】帯状体を浮上させた状態で搬送させる本発明の実施形態に係る帯状体の浮上搬送装置を示した概略平面図である。
【図２】前記の実施形態に係る帯状体の浮上搬送装置において、帯状体を浮上させた状態で浮上搬送装置の上を搬送させる状態を示した概略断面説明図である。
【図３】前記の実施形態に係る帯状体の浮上搬送装置において、搬送される帯状体の位置が帯状体の幅方向にずれた場合に、帯状体がずれた方と反対側に押されて正常な位置に戻される状態を示した概略断面説明図である。
【図４】前記の実施形態に係る帯状体の浮上搬送装置において、前記のパッド面の両側の傾斜部に設けた補正用ノズルから帯状体に吹き付ける気体の量を、平坦なパッド面の中央部に設けた中央部ノズルから帯状体に吹き付ける気体の量よりも多くするように、パッド面の傾斜部に設けた補正用ノズルの孔径をパッド面の中央部に設けた中央部ノズルの孔径より大きくした状態を示した部分断面説明図である。
【図５】前記の実施形態に係る帯状体の浮上搬送装置の変更例を示し、帯状体の搬送方向と直交する幅方向における前記のパッド面を両側部まで平坦に形成し、このパッド面の中央部に搬送される帯状体を浮かせるように気体を吹き付ける中央部ノズルを設ける一方、このパッド面の両側部に、それぞれ気体を帯状体の幅方向中央側に向けて傾斜して吹き付ける補正用ノズルを設けた状態を示した部分断面説明図である。
【図６】前記の実施形態に係る帯状体の浮上搬送装置において、前記の浮上搬送装置を搬送される帯状体の搬送方向に複数設けるにあたり、搬送される帯状体の搬送方向に沿って、搬送される帯状体に対して前記の浮上搬送装置を、帯状体の下側の位置と、帯状体の上側の位置と、帯状体の下側の位置との順に設けた状態を示した概略説明図である。
【発明を実施するための最良の形態】
【００２４】
以下、この発明の実施形態に係る帯状体の浮上搬送装置を添付図面に基づいて具体的に説明する。なお、この発明に係る帯状体の浮上搬送装置は下記の実施形態に示したものに限定されず、発明の要旨を変更しない範囲において、適宜変更して実施できるものである。
【００２５】
この実施形態における帯状体の浮上搬送装置においては、図１〜図３に示すように、連続して搬送させる金属ストリップ等の帯状体Ｗの下に浮上搬送装置１０を設け、この浮上搬送装置１０により前記の帯状体Ｗを浮かせた状態で連続して搬送させるようにしている。
【００２６】
ここで、この浮上搬送装置１０においては、前記のように搬送される帯状体Ｗの下において、帯状体Ｗと対向するようにして帯状体Ｗの搬送方向と直交する幅方向に帯状体Ｗの幅よりも大きくなったパッド面１１を設け、帯状体Ｗと対向する平坦になったパッド面１１の中央部１１ａから帯状体Ｗの幅方向の両側部に向かってそれぞれ上方に傾斜した傾斜部１１ｂ，１１ｂを設けると共に、このパッド面１１における帯状体Ｗの搬送方向上流側と下流側との位置に、それぞれ帯状体Ｗの幅方向に沿ったスリット状になった各直線状ノズル１２，１２を、帯状体Ｗの幅よりも長くなるようにして前記のパッド面１１の中央部１１ａからその両側において上方に傾斜した傾斜部１１ｂ，１１ｂに至るようにして設けている。
【００２７】
そして、この浮上搬送装置１０においては、気体供給管１３から浮上搬送装置１０内に気体を供給し、このように浮上搬送装置１０内に供給された気体を前記の各直線状ノズル１２，１２から搬送される帯状体Ｗに気体を吹き付け、帯状体Ｗを搬送方向上流側と下流側との位置で浮上搬送装置１０から浮き上がらせるようにしている。
【００２８】
ここで、この浮上搬送装置１０においては、前記の各直線状ノズル１２として、帯状体Ｗの幅方向に沿ってスリット状になったものを設けたが、直線状ノズル１２はこのようなものに限られず、図示していないが、複数の穴を直線状に並べたものなどであってもよい。
【００２９】
また、前記の浮上搬送装置１０においては、前記の平坦になったパッド面１１の中央部１１ａに、それぞれ搬送される帯状体Ｗを浮かせるように気体を吹き付ける複数の中央部ノズル１４ａを設けると共に、前記のパッド面１１の中央部１１ａからその両側において上方に傾斜した傾斜部１１ｂ，１１ｂに、それぞれ気体を帯状体Ｗの幅方向中央側に向けて吹き付ける複数の補正用ノズル１４ｂを設けている。
【００３０】
そして、この浮上搬送装置１０においては、前記のように平坦になったパッド面１１の中央部１１ａに複数の中央部ノズル１４ａを設けると共に、パッド面１１の中央部１１ａからその両側において上方に傾斜した傾斜部１１ｂ，１１ｂに複数の補正用ノズル１４ｂを設けるにあたり、前記の平坦になったパッド面１１の中央の位置を境にして、パッド面１１における平坦になった中央部１１ａとその両側における傾斜部１１ｂ，１１ｂとの上に、それぞれ帯状体Ｗの搬送方向中央部が帯状体Ｗの幅方向端部に向かって「く」の字状に折り曲がった複数の整流板１５ａ，１５ｂを左右対称に所要間隔を介して搬送される帯状体Ｗに向けて突出するように設け、平坦になったパッド面１１の中央部１１ａに設けられた整流板１５ａ間に、搬送される帯状体Ｗを浮かせるように気体を上方に吹き付ける複数の中央部ノズル１４ａを設ける一方、パッド面１１の中央部１１ａからその両側において上方に傾斜した傾斜部１１ｂ，１１ｂに設けた両側の各整流板１５ｂ間に、それぞれ気体を帯状体Ｗの幅方向中央側に向けて吹き付ける複数の補正用ノズル１４ｂを設けている。
【００３１】
そして、この浮上搬送装置１０においては、前記のように気体供給管１３から浮上搬送装置１０内に供給した気体を、パッド面１１における帯状体Ｗの搬送方向上流側と下流側との位置に設けた各直線状ノズル１２，１２と、パッド面１１における平坦になった中央部１１ａに設けた各中央部ノズル１４ａと、パッド面１１の中央部１１ａからその両側において上方に傾斜した傾斜部１１ｂ，１１ｂに設けた両側の各補正用ノズル１４ｂとから、搬送させる帯状体Ｗに吹き付けて、帯状体Ｗを浮かせた状態で連続して搬送させるようにする。
【００３２】
このようにすると、図３に示すように、この浮上搬送装置１０の上を浮かせた状態で連続して搬送される帯状体Ｗの状態が変化して、搬送される帯状体Ｗの位置が帯状体Ｗの幅方向の何れか片側にずれた場合、帯状体Ｗがずれた側における補正用ノズル１４ｂに近づく一方、ずれた側の反対側における補正用ノズル１４ｂから離れ、帯状体Ｗがずれて近づいた側における補正用ノズル１４ｂから帯状体Ｗに向けて吹き付けられる気体の力が、ずれて離れた側における補正用ノズル１４ｂから帯状体Ｗに向けて吹き付けられる気体の力より強くなり、幅方向片側にずれた帯状体Ｗがずれた方と反対側に押されて、帯状体Ｗが正常な位置に戻されるようになる。
【００３３】
この時の押す力は、気体を帯状体Ｗの幅方向中央側に向けて吹き付けているので、より強力に作用する。
【００３４】
この結果、搬送される帯状体Ｗの位置が帯状体Ｗの幅方向の何れか片側にずれても、帯状体Ｗが正常な位置に速やかに戻されて、帯状体Ｗが適切な位置で浮上させた状態で連続して搬送されるようになり、帯状体Ｗが搬送される途中において帯状体Ｗの位置がずれたりして蛇行するのを、自動的に簡単に防止できるようになる。
【００３５】
また、この実施形態における帯状体の浮上搬送装置において、搬送される帯状体Ｗの位置が帯状体Ｗの幅方向の何れか片側にずれた場合に、帯状体Ｗが正常な位置に速やかに戻されるようにするため、パッド面１１の中央部１１ａからその両側において上方に傾斜した傾斜部１１ｂ，１１ｂに設けた各補正用ノズル１４ｂから帯状体Ｗに吹き付ける気体の量を、平坦になったパッド面１１の中央部１１ａに設けた各中央部ノズル１４ａから帯状体Ｗに吹き付ける気体の量よりも多くすることが好ましい。
【００３６】
そして、このようにパッド面１１の中央部１１ａからその両側において上方に傾斜した傾斜部１１ｂ，１１ｂに設けた各補正用ノズル１４ｂから帯状体Ｗに吹き付ける気体の量を、平坦になったパッド面１１の中央部１１ａに設けた各中央部ノズル１４ａから帯状体Ｗに吹き付ける気体の量よりも多くするにあたっては、様々な方法が考えられるが、例えば、図４に示すように、パッド面１１の傾斜部１１ｂ，１１ｂに設けた各補正用ノズル１４ｂの孔径を、パッド面１１の中央部１１ａに設けた各中央部ノズル１４ａの孔径よりも大きくさせることが考えられる。
【００３７】
また、前記の実施形態における帯状体の浮上搬送装置においては、パッド面１１における帯状体Ｗの幅方向の中央部１１ａからその両側において上方に傾斜した傾斜部１１ｂ，１１ｂを設け、これらの傾斜部１１ｂ，１１ｂにそれぞれ帯状体Ｗの幅方向中央側に向けて吹き付ける補正用ノズル１４ｂを設け、搬送される帯状体Ｗの位置が帯状体Ｗの幅方向の何れか片側にずれても、帯状体Ｗが正常な位置に速やかに戻されるようにしたが、必ずしも、パッド面１１の両側に傾斜部１１ｂ，１１ｂを設ける必要はなく、例えば、図５に示すように、平坦になったパッド面１１の両側部に、それぞれ気体を帯状体Ｗの幅方向中央側に向けて吹き付ける傾斜した複数の補正用ノズル１４ｂを設け、各補正用ノズル１４ｂから帯状体Ｗの幅方向中央側に向けて吹き付ける気体の量を、各中央部ノズル１４ａから帯状体Ｗに吹き付ける気体の量よりも、さらに大きく増加させるようにすることができる。
【００３８】
このようにした場合においても、搬送される帯状体Ｗの位置が帯状体Ｗの幅方向の何れか片側にずれると、平坦になったパッド面１１の両側部において、それぞれ帯状体Ｗの幅方向中央側に向けて吹き付ける傾斜した複数の補正用ノズル１４ｂから吹き付けられた気体により、帯状体Ｗの幅方向の何れか片側にずれた場合にも、ずれた帯状体Ｗが正常な位置に適切に戻されるようになる。
【００３９】
なお、前記の実施形態における帯状体の浮上搬送装置においては、パッド面１１における帯状体Ｗの幅方向の中央部１１ａに設けた各中央部ノズル１４ａから搬送される帯状体Ｗに対して気体を真上に吹き付けるようにしたが、各中央部ノズル１４ａから搬送される帯状体Ｗに対して気体を帯状体Ｗの幅方向に少し傾斜させて吹き付けるようにすることも可能である。
【００４０】
そして、前記の実施形態における帯状体の浮上搬送装置を用いて、金属ストリップ等の帯状体Ｗを連続して搬送させるにあたっては、図６に示すように、前記の浮上搬送装置１０を搬送される帯状体Ｗの搬送方向に複数設けるにあたり、搬送される帯状体Ｗの搬送方向に沿って、搬送される帯状体Ｗに対して前記の浮上搬送装置１０を、帯状体Ｗの下側の位置と、帯状体Ｗの上側の位置と、帯状体Ｗの下側の位置の順に、順々に設けるようにすることができる。なお、搬送される帯状体Ｗを介して対向するようにして、前記の浮上搬送装置１０を帯状体Ｗの上下に設けることも可能であるが、上下の浮上搬送装置１０から帯状体Ｗに向けて吹き付けられる気体が干渉しあったりするおそれがあるため、前記のように帯状体Ｗの下側に設ける浮上搬送装置１０の位置と、帯状体Ｗの上側に設ける浮上搬送装置１０の位置とをずらせて設けるようにすることが好ましい。
【符号の説明】
【００４１】
１０    ：浮上搬送装置
１１    ：パッド面
１１ａ  ：中央部
１１ｂ  ：傾斜部
１２    ：直線状ノズル
１３    ：気体供給管
１４ａ  ：中央部ノズル
１４ｂ  ：補正用ノズル
１５ａ  ：整流板
１５ｂ  ：整流板
Ｗ      ：帯状体
【図１】
2020093903.tif 000003
【図２】
2020093903.tif 000004
【図３】
2020093903.tif 000005
【図４】
2020093903.tif 000006
【図５】
2020093903.tif 000007
【図６】
2020093903.tif 000008